(57)【要約】【課題】本発明は基板の位置ずれを防止すると共に、小型化及び省スペース化に対応しうる基板接続用コネクタを提供することを課題とする。【解決手段】増設用基板１００が基板接続用コネクタ２０に挿入されると、増設用基板１００の下端角部が基板保持部材５０の嵌合部７０に当接する。さらに増設用基板１００が下方に押圧されると共に、嵌合部７０が側方に押圧されて弾性腕部９０が外側に弾性変形する。さらに、増設用基板１００を挿入すると、各端子１０４が基板接続用コネクタ２０のコネクタピンに接触して電気的に接続されると共に、増設用基板１００のＸ方向の両側に設けられた凹部１０２が基板保持部材５０の嵌合部７０に対向する位置に降下する。これにより、基板保持部材５０の嵌合部７０が弾性腕部９０のバネ力により凹部１０２に嵌合する。従って、増設用基板１００は、基板保持部材５０の嵌合部７０が凹部１０２に嵌合することで挿入完了位置に保持される。【選択図】図５Ｂ
2010225466.tif 000002
【特許請求の範囲】
【請求項１】
マザーボードに他の基板を実装する基板接続用コネクタにおいて、
一端が前記マザーボードに固定され、他端に前記他の基板が挿入される挿入口を有するコネクタ本体と、
前記挿入口の内部に配され、前記他の基板の挿入側に配された複数の端子に接触する複数のコネクタピンと、
前記コネクタ本体の側面に弾性変形可能に起立して設けられ、前記他の基板の前記端子が前記コネクタピンに接触する位置に挿入されると共に、前記他の基板の縁部に係合して前記他の基板を当該挿入完了位置に保持する基板保持部材と、
を備えたことを特徴とする基板接続用コネクタ。
【請求項２】
前記基板保持部材は、金属バネ材により形成され、一端に前記他の基板の周縁部に形成された凹部に嵌合する嵌合部を有し、他端に前記コネクタ本体に固定される固定部を有することを特徴とする請求項１に記載の基板接続用コネクタ。
【請求項３】
前記基板保持部材は、前記嵌合部を前記凹部に嵌合する方向に付勢すると共に、前記基板の挿入または挿脱を行なう際に前記嵌合部を前記凹部から離脱する方向に変位可能に支持する弾性腕部を有し、該弾性腕部は基端が前記固定部に支持されることを特徴とする請求項２に記載の基板接続用コネクタ。
【請求項４】
前記嵌合部は、曲面を有する円弧形状または挿入方向に対して傾斜した傾斜形状に形成されたことを特徴とする請求項２に記載の基板接続用コネクタ。
【請求項５】
前記固定部は、前記マザーボードに対向する前記コネクタ本体の一端側に挿入口する取付孔に圧入される圧入部を有することを特徴とする請求項２に記載の基板接続用コネクタ。
【請求項６】
前記弾性腕部は、前記コネクタ本体の側面に当接するように突出する突起を有することを特徴とする請求項３に記載の基板接続用コネクタ。
【請求項７】
前記圧入部は、前記取付孔の内壁に係合する係止部と、前記取付孔の内壁に当接する凸部とを有することを特徴とする請求項５に記載の基板接続用コネクタ。
【請求項８】
前記係止部は、前記取付孔の幅広側内壁に係合する第１の係止部と、前記取付孔の幅狭側内壁に係合する第２の係止部とを有することを特徴とする請求項７に記載の基板接続用コネクタ。
【請求項９】
前記第１の係止部が切り起こし加工されており、
前記コネクタ本体は、切り起こされた前記第１の係止部の端部に当接する抜け防止用段差部を前記取付孔内に有することを特徴とする請求項８に記載の基板接続用コネクタ。
【発明の詳細な説明】
【技術分野】
【０００１】
本発明は基板接続用コネクタに係り、特に基板が挿入される基板接続用コネクタに関する。
【背景技術】
【０００２】
例えば、パーソナルコンピュータやサーバ等の電子機器では、メモリやＩＣチップ等の電子部品を有する回路を増設する手法として、マザーボード上に実装された基板接続用コネクタに他の基板を挿入して電気的に接続する構造が用いられている（例えば、特許文献１参照）。
【０００３】
また、基板接続用コネクタには、挿入された基板の切欠を係止する係止部材と、係止部材を係止解除方向に変位させると共に基板を挿脱方向に移動させるイジェクト機構を有するものがある（例えば、特許文献２参照）。
【先行技術文献】
【特許文献】
【０００４】
【特許文献１】特開平１０−１７７０８０号公報
【特許文献２】特開平７−２９６８８８号公報
【発明の概要】
【発明が解決しようとする課題】
【０００５】
しかしながら、上記引用文献１のような基板接続用コネクタでは、基板の端部が挿入されることによりコネクタ内に配された複数のコネクタピンが基板の端子に接触し、複数のコネクタピンの接触圧によって基板を挟持する構成であるので、例えば、運搬中の振動が伝播した場合には、基板の挿入完了位置がずれるおそれがあった。
【０００６】
また、上記特許文献２のようなイジェクト機構を有する基板接続用コネクタでは、長手方向の両端に押圧操作力により係止部材を基板の切欠から離間させると共に、基板を挿脱方向に押圧する押圧レバー、カム、連結ピン等の複数の部品を連結したイジェクト機構を長手方向の両端に配するため、コネクタの設置スペースが大きくなり、マザーボードや筐体の小型化及び省スペース化を図ることが難しいという問題があった。
【０００７】
そこで、本発明は基板の位置ずれを防止すると共に、小型化及び省スペース化に対応しうる基板接続用コネクタを提供することを目的とする。
【課題を解決するための手段】
【０００８】
上記課題を解決するため、本発明は以下のような手段を有する。
（１）本発明は、マザーボードに他の基板を実装する基板接続用コネクタにおいて、
一端が前記マザーボードに固定され、他端に前記他の基板が挿入される挿入口を有するコネクタ本体と、
前記挿入口の内部に配され、前記他の基板の挿入側に配された複数の端子に接触する複数のコネクタピンと、
前記コネクタ本体の側面に弾性変形可能に起立して設けられ、前記他の基板の前記端子が前記コネクタピンに接触する位置に挿入されると共に、前記他の基板の縁部に係合して前記他の基板を当該挿入完了位置に保持する基板保持部材と、
を備えたことを特徴とするものである。
（２）本発明の前記基板保持部材は、金属バネ材により形成され、一端に前記他の基板の周縁部に形成された凹部に嵌合する嵌合部を有し、他端に前記コネクタ本体に固定される固定部を有することを特徴とするものである。
（３）本発明の前記基板保持部材は、前記嵌合部を前記凹部に嵌合する方向に付勢すると共に、前記基板の挿入または挿脱を行なう際に前記嵌合部を前記凹部から離脱する方向に変位可能に支持する弾性腕部を有し、該弾性腕部は基端が前記固定部に支持されることを特徴とするものである。
（４）本発明の前記嵌合部は、曲面を有する円弧形状または挿入方向に対して傾斜した傾斜形状に形成されたことを特徴とするものである。
（５）本発明の前記固定部は、前記マザーボードに対向する前記コネクタ本体の一端側に挿入口する取付孔に圧入される圧入部を有することを特徴とするものである。
（６）本発明の前記弾性腕部は、前記コネクタ本体の側面に当接するように突出する突起を有することを特徴とするものである。
（７）本発明の前記圧入部は、前記取付孔の内壁に係合する係止部と、前記取付孔の内壁に当接する凸部とを有することを特徴とするものである。
（８）本発明の前記係止部は、前記取付孔の幅広側内壁に係合する第１の係止部と、前記取付孔の幅狭側内壁に係合する第２の係止部とを有することを特徴とするものである。
（９）本発明は、前記第１の係止部が切り起こし加工されており、
前記コネクタ本体は、切り起こされた前記第１の係止部の端部に当接する抜け防止用段差部を前記取付孔内に有することを特徴とするものである。
【発明の効果】
【０００９】
本発明によれば、コネクタ本体の側面に弾性変形可能に起立する基板保持部材を設けることにより、他の基板を挿入完了位置に保持することができると共に、コネクタ本体の小型化及び省スペース化を図ることができる。
【図面の簡単な説明】
【００１０】
【図１】本発明による基板接続用コネクタの一実施例を示す斜視図である。
【図２】基板保持部材を拡大して示す斜視図である。
【図３Ａ】基板保持部材の正面図である。
【図３Ｂ】基板保持部材の側面図である。
【図４Ａ】基板保持部材の取付構造を示す縦断面図である。
【図４Ｂ】図４Ａに示すＢ部を拡大して示す縦断面図である。
【図５Ａ】基板接続用コネクタに基板を挿入する直前の状態を示す斜視図である。
【図５Ｂ】基板接続用コネクタに基板を挿入した取付状態を示す斜視図である。
【図６Ａ】基板保持部材が挿入された基板に押圧されて退避した状態を示す縦断面図である。
【図６Ｂ】基板保持部材が挿入された基板を保持した状態を示す縦断面図である。
【図７】基板保持部材の変形例１を示す縦断面図である。
【図８】基板保持部材の変形例２を示す縦断面図である。
【図９】基板保持部材の変形例３を示す縦断面図である。
【図１０】基板保持部材の変形例４を示す縦断面図である。
【発明を実施するための形態】
【００１１】
以下、図面を参照して本発明を実施するための形態について説明する。
【実施例１】
【００１２】
図１は本発明による基板接続用コネクタの一実施例を示す斜視図である。図１に示されるように、例えば、パーソナルコンピュータまたはサーバ等の電子機器に組み込まれるマザーボード１０の上面には、基板接続用コネクタ２０が実装されている。基板接続用コネクタ２０は、カードエッジコネクタであり、例えば、ＩＣチップやＩＣメモリなどの電子部品が実装された増設用基板（その他の基板）が挿入される増設用コネクタである。
【００１３】
〔基板接続用コネクタ２０の構成〕
基板接続用コネクタ２０は、コネクタ本体３０と、複数のコネクタピン４０と、一対の基板保持部材５０とを有する。
【００１４】
コネクタ本体３０は、絶縁性を有する樹脂材によりモールド成型されており、下面（一端）がマザーボード１０に固定され、上面（他端）に他の増設用基板が挿入される挿入口３２を有する。挿入口３２の内部には、長手方向（Ｘ方向）に延在する細長い挿入空間が形成されている。また、挿入口３２は、後述する増設用基板（その他の基板）が挿入可能となるように増設用基板の厚さ寸法（Ｙ方向の寸法）及び幅寸法（Ｘ方向の寸法）より若干大きい寸法に形成されている。
【００１５】
複数のコネクタピン４０は、挿入される増設用基板の各端子に接触するように挿入口３２の内部空間に設けられ、各端子に対応するようにＸ方向に所定の間隔で並列に配されている。また、各コネクタピン４０は、挿入口３２のＹ方向の両側に、例えば、３５本ずつ（合計７０本）設けられている。さらに、各コネクタピン４０の下端は、夫々マザーボード１０の上面に形成された複数の電極パッド６０に半田付けされ、マザーボード１０に配された電気回路と電気的に接続されると共に、マザーボード１０に固定される。
【００１６】
基板保持部材５０は、例えば、ステンレス等の金属バネ材により形成され、コネクタ本体３０の長手方向（Ｘ方向）の両側面に沿うように起立した状態に取り付けられている。また、基板保持部材５０は、増設用基板が挿入口３２に挿入される過程で、長手方向（Ｘ方向）に弾性変形すると共に増設用基板の左右側面の縁部に係合して当該増設用基板を挿入完了位置に保持するように構成されている。
【００１７】
〔基板保持部材５０の構成〕
ここで、基板保持部材５０の構成について説明する。図２は基板保持部材を拡大して示す斜視図である。図３Ａは基板保持部材の正面図である。図３Ｂは基板保持部材の側面図である。
【００１８】
図２及び図３Ａ、図３Ｂに示されるように、基板保持部材５０は、嵌合部７０と、固定部８０と、弾性腕部９０とを有する。嵌合部７０は、基板保持部材５０の上端（一端）の内側に湾曲するように曲面を有する円弧形状（半円形状）に形成されており、増設用基板１００（図５Ｂ、図６Ｂを参照）の挿入操作または挿脱操作を行なう際の摺動抵抗を軽減する形状に形成されている。また、嵌合部７０は、後述するように挿入口３２に挿入された増設用基板１００の縁部に形成された凹部１０２（図５Ｂ、図６Ｂを参照）に嵌合して当該増設用基板１００を保持する。
【００１９】
固定部８０は、コネクタ本体３０の底部側に固定されるようにＵ字状に曲げられている。すなわち、固定部８０は、弾性腕部９０に連続する垂直部８２と、水平部８４と、水平部８４の内側端部より上方に曲げられた圧入部８６とを有する。
【００２０】
圧入部８６は、コネクタ本体３０の下面側に開口するスリット状の取付孔３４（図４Ａ、図４Ｂを参照）に圧入可能な寸法形状に形成されている。また、圧入部８６は、取付孔３４の内壁に係合する係止部１１０と、取付孔３４の内壁に当接する凸部１２０とを有する。係止部１１０は、取付孔３４の幅広側内壁に係合する第１の係止部１１０Ａと、取付孔３４の幅狭側内壁に係合する第２の係止部１１０Ｂとを有する。
【００２１】
第１の係止部１１０Ａは、圧入部８６の正面中央に切り起こしされ、下方に向けて傾斜するように突出している。また、第２の係止部１１０Ｂは、圧入部８６の両側に２箇所ずつ（合計４箇所）に突出し、上方側が傾斜し、下方側がエッジとなるように形成されている。
【００２２】
凸部１２０は、縦断面形状が半円形状に突出し、横長方向に長円形に突出しており、取付孔３４の幅広側内壁に当接する。また、凸部１２０は、第１の係止部１１０Ａよりも幅広に突出しているため、第１の係止部１１０Ａが圧入される際に取付孔３４の内壁を凹ましも、凹んだ部分を跨ぐように当接して圧入部８６をがたつき無い状態に保持することができる。
【００２３】
基板保持部材５０は、圧入部８６の第１の係止部１１０Ａ及び第２の係止部１１０Ｂ、凸部１２０が取付孔３４の内壁に係止されることによりコネクタ本体３０に対して一体的に取り付けられる。
【００２４】
弾性腕部９０は、板バネとして機能するように形成され、基端が固定部８０の垂直部８２に支持されると共に、上方に起立している。また、弾性腕部９０は、コネクタ本体３０の左右側面の上端付近の一点に当接する突起９２を有する。この突起９２は、コネクタ本体３０の側面に対する弾性腕部９０の起立位置を規定するための位置合わせ部として機能する。
【００２５】
また、弾性腕部９０は、嵌合部７０の嵌合位置を増設用基板１００の縁部の位置に対応させるようにクランク形状に曲げられた曲げ部９４を有する。この曲げ部９４は、嵌合部７０と垂直部８２とのＸ方向の位置ずれを調整するように曲げ加工されている。
【００２６】
〔基板保持部材５０の取付状態〕
ここで、基板保持部材５０の取付状態について説明する。図４Ａは基板保持部材の取付構造を示す縦断面図である。図４Ｂは図４Ａに示すＢ部を拡大して示す縦断面図である。図４Ａ及び図４Ｂに示されるように、コネクタ本体３０のＸ方向の両端近傍には、基板保持部材５０の圧入部８６が底面側から挿入される取付孔３４が上下方向（Ｚ方向）に貫通している。また、取付孔３４内には、抜け防止用の段差部３６が設けられている。
取付孔３４は、Ｙ方向の横幅寸法が圧入部８６の横幅寸法（第２の係止部１１０Ｂを除く寸法）とほぼ同じ寸法であり、Ｘ方向の厚さ寸法が圧入部８６の厚さ寸法（凸部１２０を除く寸法）より若干厚くなるように形成されている。また、取付孔３４とコネクタ本体３０の側面３８との間には、Ｕ字状に形成された固定部８０に嵌合する壁部１３０が形成されている。壁部１３０の下端は、固定部８０の水平部８４が当接する当接面１３２を有する。
【００２７】
基板保持部材５０をコネクタ本体３０に取り付ける際は、コネクタ本体３０の側面３８に基板保持部材５０の弾性腕部９０を当接させてＸ方向の取付位置を規定し、この状態で、圧入部８６の先端を取付孔３４の底面側開口に位置合わせする。取付孔３４の底面側開口には、圧入部８６の挿入を容易にするための面取り３７が設けられている。
【００２８】
次に基板保持部材５０をコネクタ本体３０に対して上方に押し上げるように押圧する。これにより、基板保持部材５０は、弾性腕部９０をコネクタ本体３０の側面３８に摺動させながら圧入部８６を取付孔３４に圧入させる。圧入時、第１の係止部１１０Ａの切り起こし端部が内側に弾性変形しながら取付孔３４の内壁を摺動する。
【００２９】
上記圧入操作により固定部８０の水平部８４が当接面１３２に当接すると、第１の係止部１１０Ａの切り起こし端部は、取付孔３４を通過して段差部３６の上面に対向する状態に変位する。これにより、基板保持部材５０を下方に引き抜こうとすると、第１の係止部１１０Ａの切り起こし端部が段差部３６の上面に当接する。そのため、基板保持部材５０の下方への引き抜きが阻止される。
【００３０】
また、圧入部８６の両側に突出する第２の係止部１１０Ｂのエッジ部が取付孔３４の内壁に食い込むため、基板保持部材５０は第１の係止部１１０Ａ及び第２の係止部１１０Ｂによって下方への引き抜きが防止される。
【００３１】
さらに、圧入部８６が取付孔３４に圧入された状態では、圧入部８６の凸部１２０が取付孔３４の内壁に当接して圧入部８６を取付孔３４内にがたつきのない状態に保持しているため、基板保持部材５０の固定部８０をコネクタ本体３０に対して安定的に固定することができる。
【００３２】
このように、基板接続用コネクタ２０は、長手方向の両端に基板保持部材５０の圧入部８６が圧入される取付孔３４及び弾性腕部９０が当接する壁部１３０を設けるだけなので、Ｘ方向の突出長さが小さくて済み、その分小型化を図れると共に、省スペース化を図ることができる。
【００３３】
〔増設用基板の挿入動作〕
ここで、増設用基板の挿入動作について説明する。図５Ａは基板接続用コネクタに基板を挿入する直前の状態を示す斜視図である。図５Ｂは基板接続用コネクタに基板を挿入した取付状態を示す斜視図である。図６Ａは基板保持部材が挿入された基板に押圧されて退避した状態を示す縦断面図である。図６Ｂは基板保持部材が挿入された基板を保持した状態を示す縦断面図である。
【００３４】
図５Ａに示されるように、増設用基板１００は、各端子１０４を下方にした垂直状態で下端がマザーボード１０に実装された基板接続用コネクタ２０の挿入口３２に挿入される。増設用基板１００の挿入操作により、下端の角部１０６が基板保持部材５０の嵌合部７０の曲面に当接する。また、増設用基板１００のＸ方向の両側の所定高さ（垂直方向の基板挿入長さと嵌合部７０の高さによって決まる位置）には、半円形状に形成された保持用の凹部１０２が設けられている。
【００３５】
図６Ａに示されるように、増設用基板１００が下方に押圧されると、基板保持部材５０は、増設用基板１００の挿入動作と共に、増設用基板１００の下端角部１０６が嵌合部７０の曲面に当接する。さらに増設用基板１００が下方に押圧されると共に、嵌合部７０を側方（Ｘ方向）に押圧して弾性腕部９０が外側（Ｃ方向）に弾性変形する。
【００３６】
弾性腕部９０は、固定部８０に支持された下端を支点としてコネクタ本体３０の側面３８から離間するＣ方向に傾くため、弾性腕部９０の撓み量が小さいので増設用基板１００に対する押圧力（抵抗力）が小さい。
【００３７】
また、基板保持部材５０の嵌合部７０は、増設用基板１００に接触する曲面が金属表面で摩擦係数が小さく滑りやすいため、増設用基板１００を挿入する際の摺動抵抗が小さい。そのため、増設用基板１００は、比較的小さな操作力で基板保持部材５０の嵌合部７０をＣ方向に変位させながら基板接続用コネクタ２０の挿入口３２に挿入される。
【００３８】
図５Ｂ及び図６Ｂに示されるように、増設用基板１００が挿入完了位置に挿入されると、増設用基板１００の各端子１０４は基板接続用コネクタ２０のコネクタピン４０に接触して電気的に接続される。そして、増設用基板１００のＸ方向の両側に設けられた凹部１０２が相対的に基板保持部材５０の嵌合部７０に対向する位置に降下する。これにより、基板保持部材５０の嵌合部７０が弾性腕部９０のバネ力（復帰力）によりＤ方向に移動して凹部１０２に嵌合する。
【００３９】
本実施例では、嵌合部７０の曲率半径が凹部１０２の曲率半径よりも大きいので、嵌合部７０の曲面の一部が凹部１０２内に入り込むと共に、嵌合部７０の曲面が凹部１０２の角部１０２ａ、１０２ｂに当接して増設用基板１００が保持される。
【００４０】
従って、増設用基板１００を基板接続用コネクタ２０の挿入口３２に挿入するように押圧操作することにより、各端子１０４がコネクタピン４０に挟持されると共に、基板保持部材５０の嵌合部７０が増設用基板１００の凹部１０２に嵌合して増設用基板１００を挿入完了位置に保持する。そのため、運搬時の振動が伝播しても増設用基板１００が基板接続用コネクタ２０の挿入完了位置からずれることが防止される。
【００４１】
また、増設用基板１００を基板接続用コネクタ２０から分離させる場合は、増設用基板１００を上方に引き上げると、凹部１０２の角部１０２ａが基板保持部材５０の嵌合部７０の曲面を外側に押圧して凹部１０２から離脱させる。このように、増設用基板１００を上方に引き上げると共に、弾性腕部９０がＣ方向（図６Ａ参照）に弾性変形して増設用基板１００に対する保持が解除される。よって、増設用基板１００を基板接続用コネクタ２０から引き抜く際は、基板保持部材５０の嵌合部７０が凹部１０２から離間するように動作するため、基板保持部材５０の保持力に拘わらず、容易に増設用基板１００を引き抜くことが可能になる。
【００４２】
〔変形例〕
ここで、変形例について説明する。図７は基板保持部材の変形例１を示す縦断面図である。尚、図７において、図６Bと同一部分には、同一符合を付してその説明は省略する。
【００４３】
図７に示されるように、変形例１の基板保持部材５０Ａの嵌合部７０Ａは、台形状に形成されており、凹部１０２の角部１０２ａ、１０２ｂに当接する傾斜部７２A、７４Aを有する。
【００４４】
増設用基板１００の挿入動作と共に、増設用基板１００の下端角部１０６が嵌合部７０Aの上側傾斜部７４Aに当接する。さらに増設用基板１００が下方に押圧されると共に、嵌合部７０Ａの上側傾斜部７４Ａを側方（Ｃ方向）に押圧して弾性腕部９０が外側（Ｃ方向）に弾性変形する。そのため、増設用基板１００は、比較的小さな操作力で基板接続用コネクタ２０の挿入口３２に挿入される。
【００４５】
このように増設用基板１００を基板接続用コネクタ２０の挿入口３２に挿入することにより、各端子１０４がコネクタピン４０に挟持されると共に、基板保持部材５０Ａの嵌合部７０Ａが増設用基板１００の凹部１０２に嵌合して増設用基板１００を挿入完了位置に保持することができる。そのため、挿入完了後に振動が伝播されても増設用基板１００が基板接続用コネクタ２０の挿入完了位置からずれることが防止される。
【００４６】
また、増設用基板１００を基板接続用コネクタ２０から分離させる場合は、増設用基板１００を上方に引き上げることにより、凹部１０２の角部１０２ａが嵌合部７０Aの下側傾斜部７２Aを外側（Ｃ方向）に押圧して凹部１０２から離脱させることができる。このように、増設用基板１００を上方に引き上げると共に、弾性腕部９０が外側に弾性変形して増設用基板１００に対する保持が解除されるので、容易に増設用基板１００を基板接続用コネクタ２０から分離させることができる。
【００４７】
図８は基板保持部材の変形例２を示す縦断面図である。尚、図８において、図６Bと同一部分には、同一符合を付してその説明は省略する。
【００４８】
図８に示されるように、変形例２の基板保持部材５０Ｂの嵌合部７０Ｂは、三角形状に形成されており、凹部１０２の角部１０２ａ、１０２ｂに当接する傾斜部７２Ｂ、７４Ｂを有する。傾斜部７２Ｂ、７４Ｂは、夫々垂直方向に対して例えば、４５°の角度で傾斜している。
【００４９】
増設用基板１００の挿入動作と共に、増設用基板１００の下端角部１０６が嵌合部７０Ｂの上側傾斜部７４Ｂに当接する。さらに増設用基板１００が下方に押圧されると共に、嵌合部７０Ｂの上側傾斜部７４Ｂを側方（Ｃ方向）に押圧して弾性腕部９０が外側（Ｃ方向）に弾性変形する。そのため、増設用基板１００は、比較的小さな操作力で基板接続用コネクタ２０の挿入口３２に挿入される。
【００５０】
このように、増設用基板１００を基板接続用コネクタ２０の挿入口３２に挿入することにより、各端子１０４がコネクタピン４０に挟持されると共に、基板保持部材５０Ｂの嵌合部７０Ｂが増設用基板１００の凹部１０２に嵌合して増設用基板１００を挿入完了位置に保持する。そのため、挿入後に振動が伝播されても増設用基板１００が基板接続用コネクタ２０の挿入完了位置からずれることが防止される。
【００５１】
また、増設用基板１００を基板接続用コネクタ２０から分離させる場合は、増設用基板１００を上方に引き上げると、凹部１０２の角部１０２ａが嵌合部７０Ｂの下側傾斜部７２Ｂを外側（Ｃ方向）に押圧して凹部１０２から離脱させることができる。このように、増設用基板１００を上方に引き上げると共に、弾性腕部９０が外側に弾性変形して増設用基板１００に対する保持が解除されるので、容易に増設用基板１００を基板接続用コネクタ２０から分離させることができる。
【００５２】
図９は基板保持部材の変形例３を示す縦断面図である。尚、図９において、図６Bと同一部分には、同一符合を付してその説明は省略する。
【００５３】
図９に示されるように、変形例３の基板保持部材５０Ｃの嵌合部７０Ｃは、凹部１０２の角部１０２ａ、１０２ｂに当接する傾斜部７２Ｃ、７４Ｃと、上方に延在する延在部７６Ｃとを有する。上側傾斜部７４Ｃは、垂直方向に対して例えば、３０°の角度で傾斜し、下側傾斜部７２Ｃは、垂直方向に対して例えば、６０°の角度で傾斜している。
【００５４】
増設用基板１００の挿入動作と共に、増設用基板１００の下端角部１０６が嵌合部７０Ｃの上側傾斜部７４Ｃに当接する。さらに増設用基板１００が下方に押圧されると、上側傾斜部７４Ｃの傾斜角度が垂直方向（挿入方向）に対して鋭角であるため、比較的小さな押圧力でも嵌合部７０Ｃを側方（Ｃ方向）に退避させることができる。そのため、増設用基板１００は、比較的小さな操作力で基板接続用コネクタ２０の挿入口３２に挿入される。
【００５５】
また、増設用基板１００を基板接続用コネクタ２０から分離させる場合は、延在部７６ＣをＣ方向に押圧することにより、下側傾斜部７２Ｃを外側（Ｃ方向）に退避させることができる。続いて、増設用基板１００を上方に引き上げると、凹部１０２の角部１０２ａが嵌合部７０Ｃの下側傾斜部７２Ｃを外側（Ｃ方向）に押圧して凹部１０２から離脱させることができる。このように、延在部７６ＣをＣ方向に押圧しながら増設用基板１００を上方に引き上げることにより、増設用基板１００に対する保持が解除されるので、上記変形例１，２よりも容易に増設用基板１００を基板接続用コネクタ２０から分離させることができる。
【００５６】
図１０は基板保持部材の変形例４を示す縦断面図である。尚、図１０において、図６Bと同一部分には、同一符合を付してその説明は省略する。
【００５７】
図１０に示されるように、変形例４の基板保持部材５０Ｄの嵌合部７０Ｄは、半円形状に湾曲しており、且つ、上方に延在する延在部７４Ｄとを有する。
【００５８】
増設用基板１００の挿入動作と共に、増設用基板１００の下端角部１０６が嵌合部７０Ｄの曲面に当接する。さらに増設用基板１００が下方に押圧されると、嵌合部７０Ｄの接触面が曲面であるため、比較的小さな押圧力でも嵌合部７０Ｄを側方（Ｃ方向）に退避させることができる。そのため、増設用基板１００は、比較的小さな操作力で基板接続用コネクタ２０の挿入口３２に挿入される。
【００５９】
また、増設用基板１００を基板接続用コネクタ２０から分離させる場合は、延在部７４ＤをＣ方向に押圧することにより、嵌合部７０Ｄを外側（Ｃ方向）に退避させることができる。続いて、増設用基板１００を上方に引き上げると、凹部１０２の角部１０２ａが嵌合部７０Ｄを外側（Ｃ方向）に押圧して簡単に凹部１０２から離脱させることができる。このように、延在部７４ＤをＣ方向に押圧しながら増設用基板１００を上方に引き上げることにより、増設用基板１００に対する保持が解除されるので、上記変形例１，２よりも容易に増設用基板１００を基板接続用コネクタ２０から分離させることができる。
【産業上の利用可能性】
【００６０】
上記実施例では、増設用基板１００を基板接続用コネクタ２０に垂直状態で挿入する構成について説明したが、これに限らず、マザーボード１０の上面と平行となる向きに増設用基板１００を挿入させる場合にも本発明を適用することができるのは勿論である。
【符号の説明】
【００６１】
１０  マザーボード
２０  基板接続用コネクタ
３０  コネクタ本体
３２  挿入口
３４  取付孔
３６  段差部
４０  コネクタピン
５０、５０Ａ〜５０Ｄ  基板保持部材
７０、７０Ａ〜７０Ｄ  嵌合部
７２A〜７２Ｃ  下側傾斜部
７４A〜７４Ｃ  上側傾斜部
７６Ｃ、７４Ｄ  延在部
８０  固定部
８２  垂直部
８４  水平部
８６  圧入部
９０  弾性腕部
９２  突起
１００  増設用基板
１０２  凹部
１０２ａ、１０２ｂ  角部
１０６  下端角部
１１０  係止部
１１０Ａ  第１の係止部
１１０Ｂ  第２の係止部
１２０  凸部
１３０  壁部
【図１】
2010225466.tif 000003
【図２】
2010225466.tif 000004
【図３Ａ】
2010225466.tif 000005
【図３Ｂ】
2010225466.tif 000006
【図４Ａ】
2010225466.tif 000007
【図４Ｂ】
2010225466.tif 000008
【図５Ａ】
2010225466.tif 000009
【図５Ｂ】
2010225466.tif 000010
【図６Ａ】
2010225466.tif 000011
【図６Ｂ】
2010225466.tif 000012
【図７】
2010225466.tif 000013
【図８】
2010225466.tif 000014
【図９】
2010225466.tif 000015
【図１０】
2010225466.tif 000016